Podtech/llm-jp-corpus-v4-ja_patent huggingface dataset:
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
少なくとも１つの半導体記憶装置と、データ読出装置とを備える記憶システムであって、
前記半導体記憶装置は、
基板と、
前記基板上に配置された複数の記憶セルと、
前記複数の記憶セルの露出面を覆う封止膜とを含み、
前記複数の記憶セルの各々は、
不揮発的にデータを格納する不揮発性記憶部と、
外部から非接触状態で供給されるエネルギーを受けて内部電力を発生する電力発生部と、
前記内部電力を受けて前記不揮発性記憶部に格納されたデータを無線送信する送信部とを含み、
前記データ読出装置は、
前記半導体記憶装置へエネルギーを供給するエネルギー供給部と、
前記半導体記憶装置の前記複数の記憶セルにそれぞれ対応付けて配置された複数の受信部と、
前記複数の受信部によってそれぞれ受信されたデータを出力する出力回路とを含む、記憶システム。
【請求項２】
前記出力回路は、前記複数の受信部によって受信されたそれぞれのデータを一連のデータ列として出力する、請求項１に記載の記憶システム。
【請求項３】
前記出力回路は、
前記複数の受信部によって受信されたそれぞれのデータを一時的に記憶するバッファと、
前記バッファに記憶されたデータを選択的に抽出する回路とを含む、請求項１または２に記載の記憶システム。
【請求項４】
前記基板は、光透過性の基板であり、
前記電力発生部は、前記基板を透過する光を受けて電力を発生する太陽電池であり、
前記データ読出装置は、前記半導体記憶装置へ光を照射する光照射部をさらに含む、請求項１〜３のいずれか１項に記載の記憶システム。
【請求項５】
前記複数の記憶セルの各々は、前記送信部と接続されるアンテナをさらに含み、
前記電力発生部は、前記アンテナを介して受信した無線信号の一部を前記内部電力として抽出する、請求項１〜３のいずれか１項に記載の記憶システム。
【請求項６】
前記半導体記憶装置は、複数の記憶セルに区画されており、
前記複数の記憶セルの各々は、前記不揮発性記憶部、前記電力発生部、前記送信部を個別に含み、
無線送信に用いられる周波数は、他の記憶セルとは異なるように選択される、請求項１〜５のいずれか１項に記載の記憶システム。
【請求項７】
前記封止膜は、二酸化シリコン膜である、請求項１〜６のいずれか１項に記載の記憶システム。
【手続補正２】
【補正対象書類名】明細書
【補正対象項目名】発明の名称
【補正方法】変更
【補正の内容】
【発明の名称】記憶システム
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
第１のクライアントと、第２のクライアントと、該第１のクライアントおよび／または該第２のクライアントに接続可能な１または複数のサーバとを備え、
該第１のクライアントが、
リモコンコマンドを送信するリモコン送信手段と、
該リモコンコマンドを受信した該第２のクライアントから送信された応答メッセージを受信するメッセージ受信手段と、
該応答メッセージに含まれているサーバ特定情報に基づいて、接続対象の該サーバを特定するサーバ特定手段と、
該サーバ特定手段によって特定されたサーバと接続する第１接続手段とを有し、
該第２のクライアントが、
該サーバと接続する第２接続手段と、
該リモコンコマンドを受信するリモコン受信手段と、
該リモコンコマンドを送信した該第１のクライアントに、該第２のクライアントが接続しているサーバのサーバ特定情報を含む応答メッセージを送信するメッセージ送信手段とを有し、
該サーバが、該第１のクライアントおよび／または該第２のクライアントと接続する第３接続手段を有する、サーバクライアントシステム。
【請求項２】
前記リモコン送信手段が、前記第１のクライアントのクライアント特定情報を含むリモコンコマンドを、前記第２のクライアントに送信し、
前記メッセージ送信手段が、該リモコンコマンドに含まれるクライアント特定情報で特定されるクライアントに、ネットワーク経由で前記応答メッセージを送信する、請求項１に記載のサーバクライアントシステム。
【請求項３】
前記第１のクライアントが、コンテンツを送信するように前記サーバに要求する第１コンテンツ要求手段と、
該サーバから送信されたコンテンツを再生する第１再生手段とをさらに有し、
前記第２のクライアントが、コンテンツを送信するように前記サーバに要求する第２コンテンツ要求手段と、
該サーバから送信されたコンテンツを再生する第２再生手段とをさらに有し、
該メッセージ送信手段が、該第２再生手段が再生しているコンテンツのコンテンツ特定情報をさらに含む応答メッセージを前記第１のクライアントに送信し、
該第１コンテンツ要求手段が、該応答メッセージに含まれているコンテンツ特定情報によって特定されるコンテンツを該サーバに要求する、請求項１または２に記載のサーバク
ライアントシステム。
【請求項４】
第１のクライアントと、第２のクライアントと、該第１のクライアントおよび／または該第２のクライアントに接続可能な１または複数のサーバとを備えるサーバクライアントシステムにおける第１のクライアントであって、
リモコンコマンドを該第２のクライアントに送信するリモコン送信手段と、
該リモコンコマンドを受信した該第２のクライアントから送信され、該第２のクライアントが接続しているサーバに関するサーバ特定情報を含む応答メッセージを受信するメッセージ受信手段と、
該応答メッセージに含まれているサーバ特定情報に基づいて、接続対象の該サーバを特定するサーバ特定手段と、
該サーバ特定手段によって特定されたサーバと接続する接続手段とを備える第１のクライアント。
【請求項５】
請求項４に記載の第１のクライアントの各手段をコンピュータに実行させる、クライアントプログラム。
【請求項６】
第１のクライアントと、第２のクライアントと、該第１のクライアントおよび／または該第２のクライアントに接続可能な１または複数のサーバとを備え、該第１のクライアントが該第２のクライアントから送信された応答メッセージに含まれるサーバ特定情報に基づいて接続対象のサーバを特定するサーバクライアントシステムにおける第２のクライアントであって、
該サーバと接続する接続手段と、
該第１のクライアントからリモコンコマンドを受信するリモコン受信手段と、
該リモコンコマンドを送信した該第１のクライアントに、該第２のクライアントが接続しているサーバのサーバ特定情報を含む該応答メッセージを送信するメッセージ送信手段とを備える、第２のクライアント。
【請求項７】
請求項６に記載の第２のクライアントの各手段をコンピュータに実行させる、クライアントプログラム。
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
１または複数のクライアントと、該クライアントにネットワーク経由で接続可能な１または複数のサーバとを備え、
該クライアントが、
該クライアントのクライアント特定情報を含むリモコンコマンドを送信するリモコン送信手段と、
ネットワーク上に存在する１または複数のサーバを探索し、該サーバのサーバ特定情報を取得するサーバ探索手段と、
該リモコンコマンドを受信したサーバから送信された通知メッセージを受信する通知メッセージ受信手段と、
該サーバ探索手段によって取得されたサーバ特定情報において、該通知メッセージに含まれるサーバ特定情報と一致するサーバを、接続対象のサーバとして特定するサーバ特定手段と、
該サーバ特定手段によって特定されたサーバとネットワーク経由で接続する手段とを有し、
該サーバが、
該リモコンコマンドを受信するリモコン受信手段と、
ネットワーク上に存在する１または複数のクライアントを探索し、該クライアントのクライアント特定情報を取得するクライアント探索手段と、
該クライアント探索手段によって取得されたクライアント特定情報において、該リモコンコマンドに含まれるクライアント特定情報と一致するクライアントを、接続対象のクライアントとして特定するクライアント特定手段と、
該クライアント特定手段によって特定されたクライアントに、該サーバのサーバ特定情報を含む通知メッセージを送信する通知メッセージ送信手段と、
該クライアント特定手段によって特定されたクライアントとネットワーク経由で接続する接続手段とを有する、サーバクライアントシステム。
【請求項２】
前記サーバが、複数のコンテンツを記録可能なコンテンツ記録部と、
前記クライアントからの要求に応じて、コンテンツを該クライアントに送信するコンテンツ送信手段とをさらに有し、
該クライアントが、該サーバのサーバ特定情報に対応付けて、コンテンツのレジューム情報を管理するレジューム管理手段と、
前記サーバ特定手段によって特定されたサーバ特定情報に対応付けられたレジューム情報を該レジューム管理手段から読み出して、該レジューム情報を含むコンテンツ送信要求を該サーバに送信するコンテンツ要求手段とを有し、
該コンテンツ送信手段が、該レジューム情報によって特定されるコンテンツのデータを該クライアントに送信する、請求項１に記載のサーバクライアントシステム。
【請求項３】
１または複数のクライアントと、該クライアントにネットワーク経由で接続可能な１または複数のサーバとを備えるサーバクライアントシステムにおけるクライアントであって、
該クライアントのクライアント特定情報を含むリモコンコマンドを送信するリモコン送信手段と、
ネットワーク上に存在する１または複数のサーバを探索し、該サーバのサーバ特定情報を取得するサーバ探索手段と、
該リモコンコマンドを受信したサーバから送信された通知メッセージを受信する通知メッセージ受信手段と、
該サーバ探索手段によって取得されたサーバ特定情報において、該通知メッセージに含まれるサーバ特定情報と一致するサーバを、接続対象のサーバとして特定するサーバ特定手段と、
該サーバ特定手段によって特定されたサーバとネットワーク経由で接続する手段とを備える、クライアント。
【請求項４】
請求項３に記載のクライアントの各手段をコンピュータに実行させる、クライアントプログラム。
【請求項５】
１または複数のクライアントと、該クライアントにネットワーク経由で接続可能な１または複数のサーバとを備えるサーバクライアントシステムにおけるサーバであって、
該クライアントからリモコンコマンドを受信するリモコン受信手段と、
ネットワーク上に存在する１または複数のクライアントを探索し、該クライアントのクライアント特定情報を取得するクライアント探索手段と、
該クライアント探索手段によって取得されたクライアント特定情報において、該リモコンコマンドに含まれるクライアント特定情報と一致するクライアントを、接続対象のクライアントとして特定するクライアント特定手段と、
該クライアント特定手段によって特定されたクライアントに、該サーバのサーバ特定情報を含む通知メッセージを送信する通知メッセージ送信手段と、
該クライアント特定手段によって特定されたクライアントとネットワーク経由で接続する接続手段とを備える、サーバ。
【請求項６】
請求項５に記載のサーバの各手段をコンピュータに実行させる、サーバプログラム。
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
印刷対象の領域に配置されるオブジェクトを取得する取得手段と、
前記取得手段により取得されたオブジェクトが配置される印刷対象の領域のサイズが、印刷装置が印刷を行う印刷媒体のサイズより大きな所定のサイズに設定された場合に、所定の種類のオブジェクトが印刷媒体からはみ出るか判定する判定手段と、
前記判定手段により、前記所定の種類のオブジェクトが印刷媒体からはみ出ると判定された場合には、前記印刷対象の領域のサイズを前記所定のサイズに設定した印刷を制限する制限手段と、
を有することを特徴とする印刷制御装置。
【請求項２】
前記判定手段は、前記取得手段により取得されたオブジェクトの種類に基づき、前記所定の種類のオブジェクトが印刷媒体からはみ出るか判定することを特徴とする請求項１に記載の印刷制御装置。
【請求項３】
前記判定手段は、前記取得手段により取得されたオブジェクトが配置される印刷対象の領域における、当該オブジェクトの位置と大きさとに基づき、前記所定の種類のオブジェクトが印刷媒体からはみ出るか判定することを特徴とする請求項１または２に記載の印刷制御装置。
【請求項４】
前記制限手段により、前記印刷対象の領域のサイズを前記所定のサイズに設定した印刷が制限された場合に、当該オブジェクトが配置される印刷対象の領域のサイズを、印刷装置が印刷する印刷媒体のサイズに設定して、当該オブジェクトを印刷装置に印刷させることを特徴とする請求項１乃至３のいずれか１項に記載の印刷制御装置。
【請求項５】
印刷対象の領域に配置されるオブジェクトを取得する取得手段と、
前記取得手段により取得されたオブジェクトの種類と、当該オブジェクトが配置される印刷対象の領域における当該オブジェクトの位置と大きさとに基づき、当該印刷対象の領域のサイズが、印刷装置が印刷を行う印刷媒体のサイズより大きな所定のサイズに設定された場合に、所定の種類のオブジェクトが印刷媒体からはみ出ないように、前記取得手段により取得されたオブジェクトのレイアウトを決定する決定手段と、
前記決定手段により決定されたレイアウトに従って前記取得手段により取得されたオブジェクトを配置することにより、印刷装置に印刷させるための前記所定のサイズの画像を作成する作成手段と、
を有することを特徴とする印刷制御装置。
【請求項６】
前記決定手段は、前記取得手段により取得された前記所定の種類のオブジェクトの変倍が制限されたレイアウトを決定することを特徴とする請求項５に記載の印刷制御装置。
【請求項７】
前記取得手段により取得されたオブジェクトが配置される印刷対象の領域のサイズが前記所定のサイズに設定された場合に、前記所定の種類のオブジェクトが印刷媒体からはみ出るか判定する判定手段を有し、
前記決定手段は、前記判定手段により、前記所定の種類のオブジェクトが印刷媒体からはみ出ると判定された場合に、前記所定の種類のオブジェクトを印刷媒体からはみ出ないようにするためのレイアウトを決定することを特徴とする請求項５または６に記載の印刷制御装置。
【請求項８】
前記所定の種類のオブジェクトは、テキストオブジェクトを含むことを特徴とする請求項１乃至７のいずれか１項に記載の印刷制御装置。
【請求項９】
印刷対象の領域に配置されるオブジェクトを取得する取得工程と、
前記取得工程において取得されたオブジェクトが配置される印刷対象の領域のサイズが、印刷装置が印刷を行う印刷媒体のサイズより大きな所定のサイズに設定された場合に、所定の種類のオブジェクトが印刷媒体からはみ出るか判定する判定工程と、
前記判定工程において、前記所定の種類のオブジェクトが印刷媒体からはみ出ると判定された場合には、前記印刷対象の領域のサイズを前記所定のサイズに設定した印刷を制限する制限工程と、
を有することを特徴とする印刷制御方法。
【請求項１０】
印刷対象の領域に配置されるオブジェクトを取得する取得工程と、
前記取得工程において取得されたオブジェクトの種類と、当該オブジェクトが配置される印刷対象の領域における当該オブジェクトの位置と大きさとに基づき、当該印刷対象の領域のサイズが、印刷装置が印刷を行う印刷媒体のサイズより大きな所定のサイズに設定された場合に、所定の種類のオブジェクトが印刷媒体からはみ出ないように、前記取得工程において取得されたオブジェクトのレイアウトを決定する決定工程と、
前記決定工程において決定されたレイアウトに従って前記取得工程において取得されたオブジェクトを配置することにより、印刷装置に印刷させるための前記所定のサイズの画像を作成する作成工程と、
を有することを特徴とする印刷制御方法。
【手続補正２】
【補正対象書類名】明細書
【補正対象項目名】発明の名称
【補正方法】変更
【補正の内容】
【発明の名称】印刷制御装置及び印刷制御方法
【手続補正３】
【補正対象書類名】明細書
【補正対象項目名】０００１
【補正方法】変更
【補正の内容】
【０００１】
本発明は、印刷対象の領域に配置されるオブジェクトの印刷を制御する印刷制御装置及び印刷制御方法に関する。
【手続補正４】
【補正対象書類名】明細書
【補正対象項目名】０００８
【補正方法】変更
【補正の内容】
【０００８】
本発明は、印刷対象の領域のサイズが印刷媒体のサイズより大きなサイズに設定されたことで必要なオブジェクトが欠けて印刷されてしまうことを防ぐことができる印刷制御装置及び印刷制御方法を提供することを目的とする。
【手続補正５】
【補正対象書類名】明細書
【補正対象項目名】０００９
【補正方法】変更
【補正の内容】
【０００９】
本発明の印刷制御装置は、印刷対象の領域に配置されるオブジェクトを取得する取得手段と、前記取得手段により取得されたオブジェクトが配置される印刷対象の領域のサイズが、印刷装置が印刷を行う印刷媒体のサイズより大きな所定のサイズに設定された場合に、所定の種類のオブジェクトが印刷媒体からはみ出るか判定する判定手段と、前記判定手段により、前記所定の種類のオブジェクトが印刷媒体からはみ出ると判定された場合には、前記印刷対象の領域のサイズを前記所定のサイズに設定した印刷を制限する制限手段とを有することを特徴とする。
【手続補正６】
【補正対象書類名】明細書
【補正対象項目名】００１０
【補正方法】変更
【補正の内容】
【００１０】
本発明によれば、印刷対象の領域のサイズが印刷媒体のサイズより大きなサイズに設定されたことで必要なオブジェクトが欠けて印刷されてしまうことを防ぐことができるという効果を奏する。
【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
オブジェクト、および、前記オブジェクトをドキュメントを構成する部品として指定する成形情報の組み合わせにより前記ドキュメントを表現する成形ドキュメントのドキュメントデータを生成する情報処理装置であって、
成形ドキュメントの成形情報に基づき、前記成形ドキュメントのオブジェクトに指定されたコンテンツを入力する入力手段と、
前記コンテンツに設定された利用条件および前記成形情報に基づき、前記コンテンツの利用を制御する制御手段と、
前記制御手段の制御および前記成形情報に従い、前記コンテンツをレイアウトしたドキュメントデータを出力する出力手段とを有することを特徴とする情報処理装置。
【請求項２】
前記成形情報は、前記成形ドキュメントのオブジェクトに指定されたコンテンツの識別子、並びに、前記成形ドキュメント上における、前記コンテンツの配置位置、前記コンテンツの成形サイズ、および、前記コンテンツの変形指定の少なくとも一つを示す情報であることを特徴とする請求項1に記載された情報処理装置。
【請求項３】
前記出力手段は、前記制御手段により利用が可能とされたコンテンツをレイアウトしたドキュメントデータを出力することを特徴とする請求項1または請求項2に記載された情報処理装置。
【請求項４】
前記出力手段は、前記制御手段により利用が不可とされたコンテンツを除くコンテンツをレイアウトしたドキュメントデータを出力することを特徴とする請求項1または請求項2に記載された情報処理装置。
【請求項５】
入力手段、制御手段、出力手段を有し、オブジェクト、および、前記オブジェクトをドキュメントを構成する部品として指定する成形情報の組み合わせにより前記ドキュメントを表現する成形ドキュメントのドキュメントデータを生成する情報処理装置の情報処理方法であって、
前記入力手段が、成形ドキュメントの成形情報に基づき、前記成形ドキュメントのオブジェクトに指定されたコンテンツを入力し、
前記制御手段が、前記コンテンツに設定された利用条件および前記成形情報に基づき、前記コンテンツの利用を制御し、
前記制御手段の制御および前記成形情報に従い、前記出力手段が前記コンテンツをレイアウトしたドキュメントデータを出力することを特徴とする情報処理方法。
【請求項６】
コンピュータを制御して請求項1から請求項4の何れか一項に記載された情報処理装置の各手段として機能させることを特徴とするプログラム。
【請求項７】
請求項6に記載されたプログラムが記録されたことを特徴とするコンピュータが読み取り可能な記録媒体。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】変更
【補正の内容】
【００２１】
本発明にかかる情報処理は、成形ドキュメントの成形情報に基づき、前記成形ドキュメントのオブジェクトに指定されたコンテンツを入力し、前記コンテンツに設定された利用条件および前記成形情報に基づき、前記コンテンツの利用を制御し、前記制御および前記成形情報に従い、前記コンテンツをレイアウトしたドキュメントデータを出力することを特徴とする
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
地震が発生したことを示す情報である緊急地震速報を送信するセンタと、当該センタから送信された緊急地震速報を受信するサーバと、当該サーバに接続された複数の基地局と、からなり、
前記サーバは基地局毎にメッセージを対応付けて格納し、前記サーバは前記センタから送信された緊急地震速報を受信すると、基地局に対し、当該基地局に対応するメッセージを送信することを特徴とする緊急地震速報システム。
【請求項２】
請求項１に記載の緊急地震速報システムであり、前記音声メッセージは、地震が到達するまでになすべきことを示す音声メッセージであることを特徴とする緊急地震速報システム。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
請求項１に記載の発明は、地震が発生したことを示す情報である緊急地震速報を送信するセンタと、当該センタから送信された緊急地震速報を受信するサーバと、当該サーバに接続された複数の基地局と、からなり、前記サーバは基地局毎に音声メッセージを対応付けて格納し、前記サーバは前記センタから送信された緊急地震速報を受信すると、基地局に対し、当該基地局に対応する音声メッセージを送信することを特徴とする。
また、請求項２に記載の発明は、請求項１に記載の緊急地震速報システムであり、前記音声メッセージは、地震が到達するまでになすべきことを示す音声メッセージであることを特徴とする。
【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
監視区域の異常を通報する警備セットモードおよび前記監視区域の異常を通報しない警備解除モードの少なくとも２種類の警備状態を有し、前記警備セットモード中に異常を検出すると通報する警備装置であって、
前記監視区域に設置された複数の防犯センサから検知信号が入力されるセンサ信号入力部と、
前記監視区域に設置されて接点の変化を出力するスイッチ部と、
少なくとも遠隔解除信号を受け付ける受付手段と、
前記警備セットモード中に前記受付手段が前記遠隔解除信号を受信すると解除指令を記憶する解除指令記憶手段と、
前記警備セットモード中に前記解除指令が記憶されている場合は、前記複数の防犯センサのいずれかから検知信号を受信した後、第１の所定時間以内に前記スイッチ部の接点が変化したときに、警備状態を前記警備解除モードに設定するモード設定手段と、
を備えることを特徴とする警備装置。
【請求項２】
利用者の登録認証情報をあらかじめ記憶する認証情報記憶手段をさらに備え、
前記受付手段は、前記警備解除モードを設定するための現地解除信号をさらに受け付け、
前記モード設定手段は、前記警備セットモード中に前記監視区域の入館経路に位置する特定センサから検知信号を受信した後、第２の所定時間以内に前記受付手段が受け付けた前記現地解除信号が前記登録認証情報と一致する認証情報を含んでいれば、警備状態を前記警備解除モードに設定する請求項１に記載の警備装置。
【請求項３】
前記監視区域に設けられ利用者が認証情報と警備状態の移行操作を入力する操作部と、利用者が携帯する利用者端末と通信する通信手段と、をさらに備え、
前記操作部は、前記警備解除モードの設定操作および認証情報の入力操作を受けると前記現地解除信号を出力し、
前記通信手段は、前記利用者端末から前記警備解除モードの設定信号を受信すると前記遠隔解除信号を出力する請求項２記載の警備装置。
【請求項４】
前記第１の所定時間が経過したとき、または前記第２の所定時間が経過したときに、前記警備解除モードに設定されていなければ異常と判定する判定手段を、さらに備える請求項２または３に記載の警備装置。
【請求項５】
前記解除指令記憶手段に記憶された前記解除指令は、前記警備状態が前記警備解除モードに設定されると消去される請求項１から３のいずれかに記載の警備装置。
【請求項６】
前記解除指令記憶手段に記憶された前記解除指令は、記憶後所定時間が経過すると消去される請求項１から５のいずれかに記載の警備装置。
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
医用撮像装置を用いて被検者を撮像することにより得られた医用画像を入力する画像入力手段と、
前記入力された医用画像に対する解析結果に基づいて、前記被検者に関する診断に関わる情報を取得する取得手段と、
前記医用画像を読影した結果を、文字情報として入力する入力手段と、
前記入力された文字情報に関連する複数の文字情報を、変換候補として出力する出力手段と、
前記入力された文字情報を、前記変換候補の中から選択された文字情報に変換する変換手段と、
前記変換候補として出力される文字情報のうち、前記取得手段により取得された情報と関係する文字情報が、前記出力手段により優先的に出力されるように、該変換候補として出力される文字情報に、予め優先順位を設定する設定手段と
を備えることを特徴とする画像処理装置。
【請求項２】
前記取得手段は、前記入力された医用画像に対する解析結果に基づいて、前記医用画像に含まれる部位名、前記医用画像から判断される疾病名、疾病の程度、または疾病の進行具合のうちの少なくともいずれかを取得することを特徴とする請求項１に記載の画像処理装置。
【請求項３】
前記出力手段は、前記設定された優先順位と、前記変換手段により過去に変換された回数とに基づいて、前記入力された文字情報に関連する複数の文字情報を配列し、前記変換候補として出力することを特徴とする請求項１に記載の画像処理装置。
【請求項４】
前記設定手段は、前記変換手段により変換済みの文字情報が、前記出力手段により非優先的に出力されるように、前記変換候補として出力される文字情報に、予め優先順位を設定することを特徴とする請求項１に記載の画像処理装置。
【請求項５】
前記画像入力手段により入力された複数の医用画像のうち、読影中の医用画像と、該医用画像の表示条件とを認識する認識手段とを更に備え、
前記設定手段は、前記取得手段により取得された情報のうち、前記認識手段により認識された医用画像について前記表示条件のもとで取得されうる情報と関係する文字情報が、前記出力手段により優先的に出力されるように、前記優先順位を設定することを特徴とする請求項１に記載の画像処理装置。
【請求項６】
画像処理装置における画像処理方法であって、
画像入力手段が、医用撮像装置を用いて被検者を撮像することにより得られた医用画像を入力する画像入力工程と、
取得手段が、前記入力された医用画像に対する解析結果に基づいて、前記被検者に関わる診断に関する情報を取得する取得工程と、
入力手段が、前記医用画像を読影した結果を、文字情報として入力する入力工程と、
出力手段が、前記入力された文字情報に関連する複数の文字情報を、変換候補として出力する出力工程と、
変換手段が、前記入力された文字情報を、前記変換候補の中から選択された文字情報に変換する変換工程と、
設定手段が、前記変換候補として出力される文字情報のうち、前記取得工程により取得された情報と関係する文字情報が、前記出力工程において優先的に出力されるように、該変換候補として出力される文字情報に、予め優先順位を設定する設定工程と
を備えることを特徴とする画像処理方法。
【請求項７】
請求項６に記載の画像処理方法の各工程をコンピュータに実行させるためのプログラム。
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
印刷媒体回転搬送装置であって、
印刷媒体入力と、
前記印刷媒体入力に接続され、前記印刷媒体入力に対し水平方向に位置決めされて配置される印刷媒体バイパスと、
前記印刷媒体入力に接続され、前記印刷媒体バイパスに対し垂直方向に離間しながら平行に配置される印刷媒体回転搬送手段と、
前記印刷媒体回転バイパスに接続された第一印刷媒体出力と、
前記印刷媒体回転搬送手段に接続され、前記第一印刷媒体出力と直交する方向に配置される第二印刷媒体出力と、
を備え、
前記印刷媒体回転バイパスは、一つの印刷媒体シートを選択的に受け取り、前記印刷媒体シートを前記第一の印刷媒体出力に搬送するように構成され、
前記印刷媒体回転搬送手段は、一つの印刷媒体シートを選択的に受け取り、前記印刷媒体シートを前記印刷媒体シートの平面に対し直交する軸の周りに回転させ、前記回転された印刷媒体シートを前記第二印刷媒体出力に搬送するように構成されていることを特徴とする印刷媒体回転搬送装置。
【請求項２】
請求項１に記載の印刷媒体回転搬送装置であって、
前記印刷媒体回転搬送手段はさらに、
ピボットアームと、
前記ピボットアームに接続され、所定の共通平面に沿って前記印刷媒体シートを搬送するように配列された一つまたは複数の回転／切換えニップと、
を備え、
前記印刷媒体回転搬送手段は、前記ピボットアームを所定の角度だけ回転させて、前記印刷媒体シートを前記第二印刷媒体出力に搬送するように構成されていることを特徴とする印刷媒体回転搬送装置。
【請求項３】
請求項２に記載の印刷媒体回転搬送装置であって、
前記印刷媒体回転バイパスは、
前記印刷媒体シートを前記印刷媒体入力から前記第一の印刷媒体出力へと搬送するように配列された一つまたは複数のニップを備え、
前記印刷媒体回転搬送手段は、
前記印刷媒体シートを前記回転／切換えニップへと搬送するように配列された一つまたは複数の搬送ニップを備えることを特徴とする印刷媒体回転搬送装置。
【請求項４】
印刷媒体切換えモジュールと、第一印刷モジュールとを含む印刷システムであって、
前記印刷媒体切換えモジュールは、
印刷媒体入力と、
前記印刷媒体入力に接続され、前記印刷媒体入力に対し水平方向に位置決めされて配置される印刷媒体回転バイパスと、
前記印刷媒体入力に接続され、前記印刷媒体バイパスに対し垂直方向に離間しながら平行に配置される印刷媒体回転搬送手段と、
前記印刷媒体回転バイパスに接続された第一印刷媒体出力と、
前記印刷媒体回転搬送手段に接続され、前記第一印刷媒体出力と直交する方向に配置される第二印刷媒体出力と、
を備え、
前記印刷媒体回転バイパスは、一つの印刷媒体シートを選択的に受け取り、前記印刷媒体シートを前記第一の印刷媒体出力に搬送するように構成され、
前記印刷媒体回転搬送手段は、一つの印刷媒体シートを選択的に受け取り、前記印刷媒体シートを前記印刷媒体シートの平面に対し直交する軸の周りに回転させ、前記回転された印刷媒体シートを前記第二の印刷媒体出力に搬送するように構成され、
前記第一印刷モジュールは、
前記第二印刷媒体出力に接続され、前記印刷媒体シートがその後の画像マーキングのために送られてくる第一印刷モジュール用の印刷媒体入力と、
第一印刷モジュール用の印刷媒体出力と、
を備えることを特徴とする印刷システム。
【手続補正２】
【補正対象書類名】明細書
【補正対象項目名】０００８
【補正方法】変更
【補正の内容】
【０００８】
本発明の一つの態様によると、印刷媒体回転搬送装置が開示される。この印刷媒体回転搬送装置は、印刷媒体入力と、印刷媒体入力に接続され、印刷媒体入力に対し水平方向に位置決めされて配置される印刷媒体バイパスと、印刷媒体入力に接続され、印刷媒体バイパスに対し垂直方向に離間しながら平行に配置される印刷媒体回転搬送手段と、印刷媒体回転バイパスに接続された第一印刷媒体出力と、印刷媒体回転搬送手段に接続され、前記第一印刷媒体出力と直交する方向に配置される第二印刷媒体出力と、を備え、印刷媒体回転バイパスは、一つの印刷媒体シートを選択的に受け取り、この印刷媒体シートを第一の印刷媒体出力に搬送するように構成され、印刷媒体回転搬送手段は、一つの印刷媒体シートを選択的に受け取り、この印刷媒体シートを、印刷媒体シートの平面に対し直交する軸の周りに回転させ、回転された印刷媒体シートを第二印刷媒体出力に搬送するように構成されている。
【手続補正３】
【補正対象書類名】明細書
【補正対象項目名】０００９
【補正方法】変更
【補正の内容】
【０００９】
本発明の別の態様によると、印刷媒体回転搬送装置が開示される。この印刷媒体回転搬送装置において、印刷媒体回転搬送手段はさらに、ピボットアームと、ピボットアームに接続され、所定の共通平面に沿って印刷媒体シートを搬送するように配列された一つまたは複数の回転／切換えニップと、を備え、印刷媒体回転搬送手段は、ピボットアームを所定の角度だけ回転させて、印刷媒体シートを第二印刷媒体出力に搬送するように構成されている。
また、本発明のさらに別の態様によると、印刷媒体回転搬送装置が開示される。この印刷媒体回転搬送装置において、印刷媒体回転バイパスは、印刷媒体シートを印刷媒体入力から第一の印刷媒体出力へと搬送するように配列された一つまたは複数のニップを備え、印刷媒体回転搬送手段は、印刷媒体シートを回転／切換えニップへと搬送するように配列された一つまたは複数の搬送ニップを備えるように構成されている。
【手続補正４】
【補正対象書類名】明細書
【補正対象項目名】００１０
【補正方法】変更
【補正の内容】
【００１０】
本発明のさらに別の態様によると、印刷システムが開示される。この印刷システムは、印刷媒体切換えモジュールと、第一印刷モジュールとを含む印刷システムであって、印刷媒体切換えモジュールは、印刷媒体入力と、印刷媒体入力に接続され、印刷媒体入力に対し水平方向に位置決めされて配置される印刷媒体回転バイパスと、印刷媒体入力に接続され、印刷媒体バイパスに対し垂直方向に離間しながら平行に配置される印刷媒体回転搬送手段と、印刷媒体回転バイパスに接続された第一印刷媒体出力と、印刷媒体回転搬送手段に接続され、第一印刷媒体出力と直交する方向に配置される第二印刷媒体出力と、を備え、印刷媒体回転バイパスは、一つの印刷媒体シートを選択的に受け取り、印刷媒体シートを第一の印刷媒体出力に搬送するように構成され、印刷媒体回転搬送手段は、一つの印刷媒体シートを選択的に受け取り、印刷媒体シートを印刷媒体シートの平面に対し直交する軸の周りに回転させ、回転された印刷媒体シートを第二の印刷媒体出力に搬送するように構成され、第一印刷モジュールは、第二印刷媒体出力に接続され、印刷媒体シートがその後の画像マーキングのために送られてくる第一印刷モジュール用の印刷媒体入力と、第一印刷モジュール用の印刷媒体出力と、を備えるように構成されている。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
シートを搬送するシート搬送装置において、
シートが搬送されるシート搬送通路と、
前記シート搬送通路のシート搬送方向と直交する幅方向に設けられ、それぞれ独立して回転することによりシートを旋回させて斜行を補正可能な１対の下流側斜行補正ローラと、
前記下流側斜行補正ローラのシート搬送方向上流側で前記シート搬送通路のシート搬送方向と直交する幅方向に設けられ、それぞれ独立して回転することによりシートを旋回させて斜行を補正可能な１対の上流側斜行補正ローラと、を備え、
前記１対の上流側斜行補正ローラを前記幅方向に移動可能とし、前記下流側斜行補正ローラ及び前記上流側斜行補正ローラによるシートの斜行補正をする際に、前記上流側斜行補正ローラのそれぞれのローラが独立して回転してシートを旋回させると共に前記上流側斜行補正ローラがシートの旋回方向に沿って前記幅方向に移動することを特徴とするシート搬送装置。
【請求項２】
前記下流側斜行補正ローラのシート搬送方向下流側に設けられ、シートの先端の傾きを検知する先端検知センサを備え、
シートの斜行補正をする際に、前記先端検知センサの検知に基づいて前記下流側斜行補正ローラ及び前記上流側斜行補正ローラの各ローラのシート搬送速度、及び前記１対の上流側斜行補正ローラの前記幅方向の移動量を設定することを特徴とする請求項１記載のシート搬送装置。
【請求項３】
前記１対の下流側斜行補正ローラと前記先端検知センサとの間にシート検知センサを設け、
前記シート検知センサのシート検知に基づき前記１対の上流側斜行補正ローラのシート搬送速度を前記１対の下流側斜行補正ローラのシート搬送速度よりも速くなるように制御することを特徴とする請求項２記載のシート搬送装置。
【請求項４】
シートの斜行補正の際に、前記１対の下流側斜行補正ローラと前記１対の上流側斜行補正ローラとの間のシートの斜行量分だけ、前記１対の上流側斜行補正ローラを前記幅方向に移動することを特徴とする請求項１ないし３のいずれか１項に記載のシート搬送装置。
【請求項５】
前記１対の上流側斜行補正ローラは、シートが通過した後、前記幅方向に移動する前の位置に戻ることを特徴とする請求項１ないし４のいずれか１項に記載のシート搬送装置。
【請求項６】
前記１対の上流側斜行補正ローラは、移動前の位置に戻る際、ニップ部が離間した状態で戻り、前記移動前の位置に戻るとニップ部が圧接した状態に戻ることを特徴とする請求項５記載のシート搬送装置。
【請求項７】
前記１対の上流側斜行補正ローラは、前記下流側斜行補正ローラのシート搬送方向上流側に設けられた、シートを案内する湾曲した搬送ガイド部に設けられていることを特徴とする請求項１ないし６のいずれか１項に記載のシート搬送装置。
【請求項８】
請求項１乃至７のいずれか１項に記載のシート搬送装置と、
前記シート搬送装置により搬送されるシートに画像を形成する画像形成部と、
を備えたことを特徴とする画像形成装置。
【請求項９】
請求項１乃至７のいずれか１項に記載のシート搬送装置と、
前記シート搬送装置により搬送されるシートに形成された画像を読み取る画像読取部と、
を備えたことを特徴とする画像読取装置。
【手続補正２】
【補正対象書類名】明細書
【補正対象項目名】００２４
【補正方法】変更
【補正の内容】
【００２４】
なお、シート搬送通路Ｒは、感光ドラム１１２と転写帯電器１１９とにより形成される転写部にシートを搬送する水平な搬送ガイド部Ｇ２と、水平なガイド部Ｇ２の上流側に位置した湾曲した搬送ガイド部Ｇ１とを備えている。そして、上流側斜行補正ローラ１４１ａ，１４１ｂは、湾曲した搬送ガイド部Ｇ１に設けられ、下流側斜行補正ローラ１４２ａ，１４２ｂは、水平な搬送ガイド部Ｇ２に設けられている。
【手続補正３】
【補正対象書類名】明細書
【補正対象項目名】００３０
【補正方法】変更
【補正の内容】
【００３０】
また、カセット１２７に収納されたシートＰは、給紙ローラ１２９により、またカセット１２８に収納されたシートＰは給紙ローラ１３０によりシート搬送通路Ｒに送り出される。このシートＰは、搬送ローラ１３１，１３２，１３４、上流側斜行補正ローラ１４１ａ，１４１ｂ及び下流側斜行補正ローラ１４２ａ，１４２ｂにより斜行の補正が行われた後、感光ドラム１１２と転写帯電器１１９により構成される転写部に搬送される。そして、この転写部において、感光ドラム１１２に形成されたトナー像が、斜行の補正が行われたシートＰに転写される。
【手続補正４】
【補正対象書類名】明細書
【補正対象項目名】００４３
【補正方法】変更
【補正の内容】
【００４３】
このように、上流側斜行補正ローラ１４１ａ，１４１ｂ及び下流側斜行補正ローラ１４２ａ，１４２ｂがそれぞれ独立して回転することにより、搬送されるシートを旋回させて斜行の補正が可能となる。
【手続補正５】
【補正対象書類名】明細書
【補正対象項目名】００４９
【補正方法】変更
【補正の内容】
【００４９】
この第１及び第２先端検知センサＳ１，Ｓ２からの検知信号はＣＰＵ３０６に入力され、このときの検知タイミングのずれにより、ＣＰＵ３０６は、シートＰの斜行方向を検知し、且つシートＰの斜行量を算出する。
【手続補正６】
【補正対象書類名】明細書
【補正対象項目名】００５９
【補正方法】変更
【補正の内容】
【００５９】
本実施の形態においては、斜行補正の際に、湾曲した搬送ガイド部Ｇ１に設けた上流側斜行補正ローラ１４１ａ，１４１ｂを、それぞれ独立して回転してシートＰを旋回させると共にシートの旋回方向に沿って幅方向に斜行量分だけ移動させるようにしている。
【手続補正７】
【補正対象書類名】図面
【補正対象項目名】図１
【補正方法】変更
【補正の内容】
【図１】
2008120561.tif 000001
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
樹脂、有機化処理した層状珪酸塩、フッ素化アルキルエステル重合体及びドリップ防止剤を含有することを特徴とする樹脂組成物。
【請求項２】
前記樹脂１００質量部に対し、前記有機化処理した層状珪酸塩０．５質量部以上、３０質量部以下、前記フッ素化アルキルエステル重合体０．００１質量部以上、２．０質量部以下及び前記ドリップ防止剤０．０５質量部以上、０．７５質量部以下含有することを特徴とする請求項１記載の樹脂組成物。
【請求項３】
前記樹脂が、ポリエチレンテレフタレート、ポリトリメチレンテレフタレート、ポリブチレンテレフタレート、ポリエチレンフランジカルボキシレート、ポリトリメチレンフランジカルボキシレート又はポリブチレンフランジカルボキシレートであることを特徴とする請求項１又は２記載の樹脂組成物。
【請求項４】
前記層状珪酸塩が、マイカであることを特徴とする請求項１乃至３のいずれか１項に記載の樹脂組成物。
【請求項５】
前記層状珪酸塩が、モンモリロナイトであることを特徴とする請求項１乃至３のいずれか１項に記載の樹脂組成物。
【請求項６】
前記フッ素化アルキルエステル重合体が、フッ素系界面活性剤であることを特徴とする請求項１乃至５のいずれか１項に記載の樹脂組成物。
【請求項７】
前記フッ素系界面活性剤が、ノニオン系又はカチオン系であることを特徴とする請求項６記載の樹脂組成物。
【請求項８】
前記層状珪酸塩の有機化処理がカチオン性物質でなされており、
前記層状珪酸塩が、有機化処理で使用したカチオン性物質が洗浄により除去されたものであることを特徴とする請求項１乃至７のいずれか１項に記載の樹脂組成物。
【請求項９】
前記ドリップ防止剤が、ポリテトラフルオロエチレンを含むことを特徴とする請求項１乃至８のいずれか１項に記載の樹脂組成物。
【手続補正２】
【補正対象書類名】明細書
【補正対象項目名】００１０
【補正方法】変更
【補正の内容】
【００１０】
上記課題を解決した本発明の樹脂組成物は、樹脂、有機化処理した層状珪酸塩、フッ素化アルキルエステル重合体及びドリップ防止剤を含有することを特徴とする。
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
液体を吐出するための吐出口および吐出エネルギー発生素子を有する吐出素子基板と、
前記吐出エネルギー発生素子に電気信号を入力するための電気配線基板と、
前記吐出素子基板および前記電気配線基板を支持する支持手段と、
前記吐出素子基板と前記電気配線基板とを電気接続する電気接続部と、
前記電気接続部に塗布された封止樹脂と、
前記封止樹脂を介して前記電気接続部の形状に沿って当該電気接続部を覆うフィルム状部材と、
を含む液体吐出ヘッド。
【請求項２】
前記フィルム状部材は、厚さが３μｍ以上１０μｍ以下のポリイミド材料を含んでなるフィルム状部材である、請求項１に記載の液体吐出ヘッド。
【請求項３】
前記フィルム状部材の一部は前記電気配線基板に固定されている、請求項１または２に記載の液体吐出ヘッド。
【請求項４】
液体を吐出するための吐出口および吐出エネルギー発生素子を有する吐出素子基板と電気配線基板とを電気接続する工程と、
前記吐出素子基板と前記電気配線基板との電気接続部に封止樹脂を塗布する工程と、
前記電気接続部に塗布された前記封止樹脂にフィルム状部材を被着させる工程と、
前記フィルム状部材を被着させた前記封止樹脂を加熱し、前記吐出素子基板の周囲へ流動させる工程と、
を含む液体吐出ヘッドの製造方法。
【請求項５】
液体を吐出するための吐出口および吐出エネルギー発生素子を有する吐出素子基板と電気配線基板とを電気接続する工程と、
前記吐出素子基板と前記電気配線基板との電気接続部に封止樹脂を塗布する工程と、
前記電気接続部に塗布された前記封止樹脂が硬化する前に、押圧部材で前記封止樹脂を押圧することによって、前記封止樹脂の突出量を低減する工程と、
を含む液体吐出ヘッドの製造方法。
【請求項６】
液体を吐出する複数のノズルが配列され該ノズルから液体を吐出する吐出エネルギーを発生する複数の記録素子が配列された記録素子基板と、
前記記録素子基板と電気的に接続される電気配線基板と、を有し、
前記記録素子基板と前記電気配線基板との電気接続部は、封止樹脂で覆われ、該封止樹脂が、前記電気配線基板の表層に設けられたカバーフィルムを延ばして形成された延長部で被覆されている、液体吐出ヘッド。
【請求項７】
前記カバーフィルムの前記延長部は、少なくとも前記記録素子基板と前記電気配線基板との前記電気接続部を被覆し、前記ノズルに達しないように形成されている、請求項６に記載の液体吐出ヘッド。
【請求項８】
前記カバーフィルムの前記延長部は、前記電気接続部の形状に倣う形状で固定されている、請求項６または７に記載の液体吐出ヘッド。
【請求項９】
液体を吐出する複数のノズルが配列され該ノズルから液体を吐出する吐出エネルギーを発生する複数の記録素子が配列された記録素子基板と、該記録素子基板と電気的に接続される電気配線基板とを備え、前記記録素子基板と前記電気配線基板との電気接続部が封止樹脂で覆われ、該封止樹脂が、前記電気配線基板の表層のカバーフィルムを延ばして形成された延長部で被覆される液体吐出ヘッドの製造方法であって、
前記記録素子基板と前記電気配線基板との電気接続部に、前記封止樹脂を塗布する第１の工程と、
前記封止樹脂が完全硬化する前に前記封止樹脂を前記カバーフィルムの前記延長部で被覆する第２の工程と、
を含む液体吐出ヘッドの製造方法。
【請求項１０】
液体を吐出する複数のノズルが配列され該ノズルから液体を吐出する吐出エネルギーを発生する複数の記録素子が配列された記録素子基板と、該記録素子基板と電気的に接続される電気配線基板とを備え、前記記録素子基板と前記電気配線基板との電気接続部が封止樹脂で覆われ、該封止樹脂が、前記電気配線基板の表層のカバーフィルムを延ばして形成された延長部で被覆される液体吐出ヘッドの製造方法であって、
前記カバーフィルムに前記封止樹脂を塗布する第１の工程と、
前記封止樹脂が完全硬化する前に前記電気接続部を前記カバーフィルムで覆う第２の工程と、
を含む液体吐出ヘッドの製造方法。
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
デバイス内の電力消費レベルをコントロールするためのプロセスであって、
デバイスを完全動作電力レベルにおいて動作させ、
第１待機時間をカウントし、
前記第１待機時間の満了の前のデバイスの使用検出に応答して第１待機時間変更子を変更し、および
前記第１待機時間の満了に応答して前記完全動作レベルから低電力レベルに電力消費を低減すること、
を有するプロセス。
【請求項２】
さらに、
前記第１待機時間のカウントの開始に先行して生じる時間期間中におけるデバイスの使用検出に応答し、前記第１待機時間変更子を変更する請求項１に記載のプロセス。
【請求項３】
デバイス内の電力消費レベルを調整するためのシステムであって、
タイマであって、カウントされている時間期間の満了に応答して電力レベル調整信号を生成するためのタイマと、
前記タイマによってカウントされる時間期間を変更するタイマ変更子と、
デバイスの動作をコントロールするためのデバイス・コントローラであって、前記デバイスの使用検出に応答して前記タイマ変更子を変更するデバイス・コントローラと、
前記電力レベル調整信号に応答して複数の電力消費レベルのうちの１つに前記デバイスを選択的に設定するための電力コントローラと、
を有するシステム。
【請求項４】
インク・ジェット・プリンタであって、
液体インクを貯蔵するためのインク・リザーバと、
前記インク・リザーバから前記液体インクを受け取るためのプリント・ヘッドと、
前記プリント・ヘッドから射出される液体インクを受け取るためのイメージング部材であって、その上にインク・イメージを形成するイメージング部材と、
前記インク・イメージを固定するための転写サブシステムであって、少なくとも１つの加熱ローラを含む転写サブシステムと、
前記インク・ジェット・プリンタの動作をコントロールするための電子モジュールと、を有し、
前記電子モジュールは、
時間期間をカウントし、かつ電力調整信号を生成するためのタイマであって、カウントされている時間期間の満了に応答して電力調整信号を生成するタイマと、
前記タイマによってカウントされる時間期間を変更するタイマ変更子と、
前記プリンタの動作のためのコントロール信号を生成するため、および前記タイマ変更子を前記プリンタの使用に従って変更するためのプリンタ・コントローラと、
電力調整信号およびイメージ生成要求のうちの１つの受信に応じ、前記プリンタのための複数の電力消費レベルの１つに、電力消費レベルを設定するための電力コントローラと、
を備えるインク・ジェット・プリンタ。
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
液体を吐出する吐出口と、該吐出口から液体を吐出するためのエネルギーを発生するエネルギー発生素子と、該エネルギー発生素子が設けられ液体を発泡させる発泡室とを有する複数のノズルが設けられた基板を備え、
前記基板には、前記基板の厚さ方向に貫通して前記ノズルに連通され、前記ノズルに液体を供給する液体供給口が設けられた液体吐出ヘッドであって、
前記各ノズルは、前記液体供給口から液体を供給するための少なくとも一組の液体流路を有し、
前記ノズルが列状に配置されたノズル列に対して、前記各液体流路の前記発泡室に隣接する端部が、各々ストレート状に形成され、
前記各発泡室には、前記一組の液体流路が、前記エネルギー発生素子を挟んで対称に配置されており、
前記ノズル列方向に対して隣接する前記ノズル同士において、該各ノズルに設けられた前記各液体流路は、前記基板の厚み方向に対して異なる位置に独立して配置され、かつ前記基板の主面に平行な平面上に投影したときに重なる位置に配置されていることを特徴とする液体吐出ヘッド。
【請求項２】
前記一組の液体流路は流動抵抗が等しくされている、請求項１に記載の液体吐出ヘッド。
【請求項３】
前記液体供給口は、複数の前記ノズルにそれぞれ連通され、前記ノズル列を挟んで一方側のみに位置して設けられている、請求項１または２に記載の液体吐出ヘッド。
【請求項４】
前記ノズル列を挟んで両側には、前記各ノズルにそれぞれ対応する複数の前記液体供給口が、前記ノズル列方向に沿って千鳥状に交互に位置をずらして設けられている、請求項１または２に記載の液体吐出ヘッド。
【請求項５】
前記複数の前記ノズルは、前記ノズル列方向に沿って千鳥状に交互に位置をずらして配置されている、請求項１ないし３のいずれか１項に記載の液体吐出ヘッド。
【請求項６】
前記各ノズルに配置された前記一組の液体流路は、前記基板の厚み方向の位置がそれぞれ等しく形成されている、請求項１ないし５のいずれか１項に記載の液体吐出ヘッド。
【請求項７】
前記ノズル列方向に対して隣接する前記ノズル同士は、前記吐出口から吐出される液体の吐出量がそれぞれ等しくされている、請求項１ないし６のいずれか１項に記載の液体吐出ヘッド。
【手続補正２】
【補正対象書類名】明細書
【補正対象項目名】００１０
【補正方法】変更
【補正の内容】
【００１０】
上述した目的を達成するため、本発明に係る液体吐出ヘッドは、液体を吐出する吐出口と、吐出口から液体を吐出するためのエネルギーを発生するエネルギー発生素子と、該エネルギー発生素子が設けられ液体を発泡させる発泡室とを有する複数のノズルが設けられた基板を備え、基板には、基板の厚さ方向に貫通してノズルに連通され、ノズルに液体を供給する液体供給口が設けられた液体吐出ヘッドであって、各ノズルが、液体供給口から液体を供給するための少なくとも一組の液体流路を有している。また、各液体流路は、発泡室に隣接する端部が各々ストレート状に形成されている。そして、各発泡室には、一組の液体流路が、エネルギー発生素子を挟んで対称に配置されている。ノズル列方向に対して隣接するノズル同士において、各ノズルに設けられた各液体流路は、基板の厚み方向に対して異なる位置に独立して配置され、かつ基板の主面に平行な平面上に投影したときに重なる位置に配置されている。